(57)【要約】【課題】シャッタ羽根のばたつきを抑制したシャッタ装置およびこれを搭載したカメラを提供する。【解決手段】本発明に係るシャッタ装置２０は、第１の開口６０ａが形成された第１の板体６０と、前記第１の開口を開閉するように移動可能な少なくとも１つのシャッタ羽根４２a〜４２ｄ，４４ａ〜４４ｄとを有し、前記シャッタ羽根は、前記移動時の移動方向と交差する方向に向かう揚力が発生するように設けられている。【選択図】図７
2009139420.tif 000002
【特許請求の範囲】
【請求項１】
第１の開口が形成された第１の板体と、
前記第１の開口を開閉するように移動可能な少なくとも１つのシャッタ羽根とを有し、
前記シャッタ羽根は、前記移動時に移動方向と交差する方向へ向かう揚力が発生するように設けられていることを特徴とするシャッタ装置。
【請求項２】
前記第１の開口に対応した位置に第２の開口が形成された第２の板体を有し、
前記シャッタ羽根は、前記第１の板体と前記第２の板体との間であって、前記第１の板体よりも前記第２の板体に近い位置に配置され、前記移動時に前記第１の板体側に向かう揚力が発生するように設けられていることを特徴とする請求項１に記載のシャッタ装置。
【請求項３】
前記第１の板体の前記第１の開口の縁部は、前記シャッタ羽根が設けられた側と反対方向に折り曲げられていることを特徴とする請求項２に記載のシャッタ装置。
【請求項４】
前記シャッタ羽根は、前記移動の方向に対して傾斜して配置されていることを特徴とする請求項１から３のいずれかに記載のシャッタ装置。
【請求項５】
前記シャッタ羽根の形状が、前記揚力を発生する形状であることを特徴とする請求項１から４のいずれかに記載のシャッタ装置。
【請求項６】
第１の開口が形成された第１の板体と、
前記第１の開口に対応した位置に第２の開口が形成された第２の板体と、
前記第１の開口あるいは前記第２の開口に対応した位置に第３の開口が形成された第３の板体と、
前記第１の板体と前記第２の板体との間に配置され、少なくともいずれかの開口を開閉するように移動可能な第１のシャッタ羽根と、
前記第２の板体と前記第３の板体との間に配置され、少なくともいずれかの開口を開閉するように移動可能な第２のシャッタ羽根と、を有し、
前記第１のシャッタ羽根は、前記第１の板体と前記第２の板体のうちの一方の側に揚力が発生するように設けられ、前記第１の板体と前記第２の板体のうちの一方よりも他方に近い位置に配置され、
前記第２のシャッタ羽根は、前記第２の板体と前記第３の板体のうちの一方の側に揚力が発生するように設けられ、前記第２の板体と前記第３の板体のうちの一方よりも他方に近い位置に配置されていることを特徴とするシャッタ装置。
【請求項７】
前記第１のシャッタ羽根および前記第２のシャッタ羽根は、前記移動の方向に対して傾斜して配置されていることを特徴とする請求項６に記載のシャッタ装置。
【請求項８】
前記第１のシャッタ羽根および第２のシャッタ羽根の形状が、前記揚力を発生する形状であることを特徴とする請求項６または７に記載のシャッタ装置。
【請求項９】
前記第１の板体と前記第２の板体のうちの一方の板体の前記開口の縁部は、前記第１のシャッタ羽根が設けられた側と反対方向に折り曲げられており、
前記第２の板体と前記第３の板体のうちの一方の板体の前記開口の縁部は、前記第２のシャッタ羽根が設けられた側と反対方向に折り曲げられていることを特徴とする請求項６から８のいずれかに記載のシャッタ装置。
【請求項１０】
請求項１から９までのいずれかに記載のシャッタ装置を有するカメラ。
【発明の詳細な説明】
【技術分野】
【０００１】
本発明は、カメラのシャッタ装置およびカメラに関する。
【背景技術】
【０００２】
近年、精緻な画像や新しい映像表現に対するユーザーの要望に応えるため、シャッタスピードの高速化やシャッタの高精度化が求められている。このような要求に応えるため、例えばフォーカルプレーンシャッタでは、薄型で軽量な複数のシャッタ羽根を組み合わせたシャッタ幕が使用されている。
【０００３】
しかしながら、シャッタ羽根を薄型とした場合、それに伴ってシャッタ羽根の剛性が低下するため、シャッタ羽根が走行中にばたつく（羽根の面に対して垂直方向に振動する）現象が発生しやすくなる傾向にある。このようなシャッタ羽根のばたつきが発生すると、露光窓を形成する遮光板や中間板等にシャッタ羽根が衝突するため、シャッタ羽根の寿命が低下し、場合によってはシャッタ羽根が破損するという問題が生じていた。
【０００４】
このような問題を解決するための従来技術としては、例えば遮光板と中間板の間に衝撃吸収材を配置することによって、シャッタ羽根と中間板等との衝突による衝撃を吸収するものが知られている（特許文献１参照）。しかしながら、このような従来技術は、シャッタ羽根のばたつき自体を防止するものではないため、シャッタの耐久性や信頼性に問題を残すものであった。
【特許文献１】特開平５−１３４２９１
【発明の開示】
【発明が解決しようとする課題】
【０００５】
本発明は、このような実状に鑑みてなされ、その目的は、シャッタ羽根のばたつきを抑制したシャッタ装置およびこれを搭載したカメラを提供することである。
【課題を解決するための手段】
【０００６】
上記目的を達成するために、本発明に係るシャッタ装置は、第１の開口（６０ａ，７０ａ）が形成された第１の板体（６０，７０）と、
前記第１の開口を開閉するように移動可能な少なくとも１つのシャッタ羽根とを有し、
前記シャッタ羽根は、前記移動時に移動方向と交差する方向へ向かう揚力が発生するように設けられていることを特徴とする。
【０００７】
また、例えば、本発明に係るシャッタ装置は、前記第１の開口に対応した位置に第２の開口（４０ａ）が形成された第２の板体（４０）を有し、
前記シャッタ羽根（４２ａ〜４２ｄ，４４ａ〜４４ｄ）は、前記第１の板体と前記第２の板体との間であって、前記第１の板体よりも前記第２の板体に近い位置に配置され、前記移動時に前記第１の板体側に向かう揚力が発生するように設けられていてもよい。
【０００８】
また、例えば、本発明に係るシャッタ装置において、前記第１の板体との前記第１の開口の縁部（６０ｂ，７０ｂ）は、前記シャッタ羽根が設けられた側と反対方向に折り曲げられていてもよい。
【０００９】
また、例えば、本発明に係るシャッタ装置において、前記シャッタ羽根は、前記移動の方向に対して傾斜して配置されていてもよい。
【００１０】
また、例えば、本発明に係るシャッタ装置においては、前記シャッタ羽根の形状が、前記揚力を発生する形状であってもよい。
【００１１】
また、本発明に係るシャッタ装置の他の一例としては、第１の開口（６０ａ）が形成された第１の板体（６０）と、
前記第１の開口に対応した位置に第２の開口（４０ａ）が形成された第２の板体（４０）と、
前記第１の開口あるいは前記第２の開口に対応した位置に第３の開口（７０ａ）が形成された第３の板体（７０）と、
前記第１の板体と前記第２の板体との間に配置され、少なくともいずれかの開口を開閉するように移動可能な第１のシャッタ羽根（４４ａ〜４４ｄ）と、
前記第２の板体と前記第３の板体との間に配置され、少なくともいずれかの開口を開閉するように移動可能な第２のシャッタ羽根（４２ａ〜４２ｄ）と、
前記第１のシャッタ羽根は、前記第１の板体と前記第２の板体のうちの一方の側に揚力が発生するように設けられ、前記第１の板体と前記第２の板体のうちの一方よりも他方に近い位置に配置され、
前記第２のシャッタ羽根は、前記第２の板体と前記第３の板体のうちの一方の側に揚力が発生するように設けられ、前記第２の板体と前記第３の板体のうちの一方よりも他方に近い位置に配置されていてもよい。
【００１２】
また、例えば、前記他の一例に係るシャッタ装置において、前記第１のシャッタ羽根および前記第２のシャッタ羽根は、前記移動の方向に対して傾斜して配置されていてもよい。
【００１３】
また、例えば、前記他の一例に係るシャッタ装置においては、前記第１のシャッタ羽根および第２のシャッタ羽根の形状が、前記揚力を発生する形状であってもよい。
【００１４】
また、例えば、前記他の一例に係るシャッタ装置において、前記第１の板体と前記第２の板体のうちの一方の板体の前記開口の縁部（６０ｂ）は、前記第１のシャッタ羽根が設けられた側と反対方向に折り曲げられており、
前記第２の板体と前記第３の板体のうちの一方の板体の前記開口の縁部（７０ｂ）は、前記第２のシャッタ羽根が設けられた側と反対方向に折り曲げられていてもよい。
【００１５】
本発明に係るカメラは、上記のうちいずれかのシャッタ装置（２０）を有する。
【００１６】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１７】
以下、本発明を、図面に示す実施形態に基づき説明する。
図１は、本願発明の第１および第２実施形態に係るフォーカルプレーンシャッタを搭載したカメラの概略断面図、
図２は、図１のカメラに搭載されたフォーカルプレーンシャッタにおける羽根と開口の位置関係を示した概略図、
図３は、図１のカメラに搭載されたフォーカルプレーンシャッタにおける装置の構成部品の位置関係を表す分解斜視図、
図４は、図１のカメラに搭載されたフォーカルプレーンシャッタにおけるシャッタの開閉機構を説明した概略図、
図５は、図１のカメラに搭載されたフォーカルプレーンシャッタのシャッタ走行時の状態を示す概略平面図、
図６は、図５に示すフォーカルプレーンシャッタの概略断面図、
図７は、図６に示すフォーカルプレーンシャッタに係る１枚のシャッタ羽根の走行状態を表した模式断面図、
図８は、本願発明の第２実施例に係るフォーカルプレーンシャッタのシャッタ羽根の走行状態を表した模式断面図、
図９は、図８に示すシャッタ羽根の模式断面斜視図である。
第１実施形態
【００１８】
図１は、本発明の一実施形態に係るフォーカルプレーンシャッタが搭載された一眼レフカメラのカメラボディ４を示したものである。カメラボディ４の筐体６には開口部８が形成されており、開口部８の周辺にはレンズマウント１０が形成されている。撮影時には、開口部８を覆うように交換レンズ（不図示）が設置され、交換レンズによって導かれた撮影光が、筐体６内部に導入される。
【００１９】
筐体６内部には、クイックリターンミラー１２、ファインダスクリーン１４、ペンタプリズム１６、接眼レンズ１８、フォーカルプレーンシャッタ２０、光学ローパスフィルタ２２および記録媒体３０等が具備してある。撮影の際には、クイックリターンミラー１２がはねあがることにより撮影光の光路上から退避し、さらに、フォーカルプレーンシャッタ２０を開くことによって、撮影光が記録媒体３０上に導かれる。なお、本実施形態の一眼レフカメラは、記録媒体３０として撮像素子を使用したデジタルカメラであるが、本願発明はこれに限られず、フィルム式カメラであっても良い。なお実施形態に関する各図面では、撮影時の光軸方向をＸ軸方向とし、光軸方向に対して垂直な方向のうち、筐体６の左右方向Ｙ軸方向、上下方向をＺ軸方向とした。
【００２０】
図２は、図１のカメラに搭載されたフォーカルプレーンシャッタ２０における羽根と開口の位置関係を示した概略図である。フォーカルプレーンシャッタ２０は、開口４０ａが形成された中間体４０を有しており、先シャッタ４２および後シャッタ４４が、開口４０ａに対して開閉自在に配置してある。各シャッタ４２および４４は、それぞれ複数（図示では各４枚）のシャッタ羽根４２ａ〜４２ｄ，４４ａ〜４４ｄで構成され、各リンク機構５２および５４により、それぞれ連動して動作するようになっている。
【００２１】
図２に示す状態において、先シャッタ４２のシャッタ羽根４２ａ〜４２ｄは、展開して中間体４０の開口４０ａを覆う遮蔽状態にあるのに対し、後シャッタ４４のシャッタ羽根４４ａ〜４４ｄは、開口４０ａの上方に重なり合って開口４０ａを開いた開放状態にある。
【００２２】
図３は、フォーカルプレーンシャッタ２０の各構成部品の位置関係を示した分解斜視図である。フォーカルプレーンシャッタ２０は、中間体４０を挟んで、レンズ側（Ｘ軸負方向）に位置する第１基板６０と、撮像素子側（Ｘ軸正方向）に位置する第３基板７０とを有する。第２基板である中間体４０、第１基板６０および第３基板７０は、光軸（Ｘ軸）に直交するように配置されている。第１基板６０と第３基板７０の間に、図２で示した先シャッタ４２および後シャッタ４４等が配置される。
【００２３】
先シャッタ４２と後シャッタ４４の間には、中間体４０が配置されている。本実施形態の中間体４０は、遮蔽板４０ｃと中間板４０ｄの２部品から構成されているが、遮蔽板４０ｃと中間板４０ｄは一体となっていても良い。中間体４０の開口４０ａ、第１基板６０の開口６０ａおよび第３基板７０の開口７０ａは、それぞれの開口が対応して光軸（Ｘ軸）方向に重なるように配置されている。本実施形態のように、開口６０ａの縁部６０ｂおよび開口７０ａの縁部６０ｂは、シャッタ羽根４２，４４が基板６０，７０の開口６０ａ，７０ａに衝突するのを避けるため、シャッタ羽根４２，４４が設けられた側と反対方向に折り曲げられていてもよい。
【００２４】
第１基板６０と中間体４０との間には後シャッタ４４が配置されており、後シャッタ４０のシャッタ羽根４４ａ〜４４ｄは、リンク機構５４を介して、第１基板６０の開口６０ａおよび中間体の開口４０ａを開閉するように移動することができる。また、中間体４０と第３基板７０との間には先シャッタ４２が配置され、先シャッタ４２のシャッタ羽根４２ａ〜４２ｄは、後シャッタ４４と同様に、開口４０ａおよび第３基板７０の開口７０ａを開閉するように移動することができる。
【００２５】
後シャッタ４４と第１基板６０との間には、スペーサ６２を配置してもよく、これにより後シャッタ４４は、第１基板６０よりも中間体４０に近い位置に配置される。後シャッタ４４と遮蔽板４４を含む中間体４０を近接して配置することにより、後シャッタ４４および中間体４０は、より精度の良く光を遮光することができる。また、先シャッタ４２と第３基板７０との間にも同様に、スペーサ７２を配置することができる。
【００２６】
図４は、フォーカルプレーンシャッタの機構を表す概略図である。図２に示す先シャッタ４２に係るリンク機構５２は、リンクピン５６を介して、図４に示す駆動レバー８０と連結してある。駆動レバー８０は、回転軸８０ａを中心として、第１基板６０に対して回転可能に保持してある。駆動レバー８０には、スプリング８２が連結してあり、スプリング８２の弾性力によって、駆動レバー８０を回動させ、リンクピン５６をリンク溝８４に沿って時計回り方向に押し下げる方向の力が付与されている。
【００２７】
図２に示すように、先シャッタ４２のシャッタ羽根４２ａ〜４２ｄが開口４０ａを閉鎖している状態では、図４に示すように、リンクピン５６はリンク溝８４の上端部に位置している。このとき駆動レバー８０の回動先端に対して、係止レバー８５が係合しており、駆動レバー８０が時計回りに回転することが停止させられている。
【００２８】
係止レバー８５は、回転軸８５ａを介して第１基板６０に対して回動自在に取り付けられ、スプリング８６により、係止レバー８５は、反時計回りに回動力が付与されている。したがって外力が作用しない状態では、係止レバー８５は、駆動レバー８０の回動先端に係止し続けられる。すなわち、図２に示すように、先シャッタ４２が開口４０ａを閉じた状態を維持する。
【００２９】
係止レバー８５には、カメラのシャッタボタンに連動して駆動される図示省略してあるアクチュエータにより、時計回りの方向の回動力が作用し、駆動レバー８０との係合が外れるようになっている。係止レバー８５との係合が外れた駆動レバー８０は、スプリング８６の弾性力により回動し、リンクピン５６はリンク溝８４に沿って下端部方向に移動する。このとき図２のリンク機構５２は、リンクピン５６の動きに合わせて時計回り方向に回動させられ、シャッタ羽根４２ａ〜４２ｄが、開口４０ａを閉じている状態から開いている状態に素早く移動する。
【００３０】
それに対して、図２に示す後シャッタ４４に係るリンク機構５４は、リンクピン５８を介して、図４に示す駆動レバー９０と連結してある。駆動レバー９０は、回転軸９０ａを中心として、第１基板６０に対して回転可能に保持してある。駆動レバー９０には、スプリング９２が連結してあり、スプリング９２の弾性力によって、駆動レバー９０を回動させ、リンクピン５８をリンク溝９４に沿って時計回り方向に押し下げる力が付与されている。
【００３１】
図２に示すように、後シャッタ４４のシャッタ羽根４４ａ〜４４ｄが開口４０ａを開放している状態では、図４に示すように、リンクピン５８はリンク溝９４の上端部に位置している。このとき駆動レバー９０の回動先端に対して、係止レバー９５が係合しており、駆動レバー９０が弾性力で時計回りに回転することが停止させられている。
【００３２】
係止レバー９５は、回転軸９５ａを介して第１基板６０に対して回動自在に取り付けられ、スプリング９６により、係止レバー９５は、反時計回りに回動力が付与されている。したがって外力が作用しない状態では、係止レバー９５は、駆動レバー９０の回動先端に係止し続けられる。すなわち、図２に示すように、後シャッタ４２が開口４０ａを開いた状態を維持する。
【００３３】
係止レバー９５には、カメラのシャッタボタンに連動して駆動される図示省略してあるアクチュエータにより時計回りの方向の回動力が作用し、駆動レバー９０との係合が外れるようになっている。係止レバー９５との係合が外れた駆動レバー９０は、弾性力により回動し、リンクピン５８はリンク溝９４に沿って下端部方向に移動する。このとき図２のリンク機構５４は、リンクピン５８の動きに合わせて時計回り方向に回動させられ、シャッタ羽根４２ａ〜４２ｄが、開口４０ａを開いている状態から閉じている状態に素早く移動する。
【００３４】
図５はシャッタ走行中における各シャッタ羽根４２ａ〜４２ｄ，４４ａ〜４４ｄの配置を表した概略図であり、フォーカルプレーンシャッタ４０を、レンズ側から見た概略平面図である。なお、第１基板６０上に配置される駆動レバー等は省略して図示してある。
【００３５】
本実施形態に係るフォーカルプレーンシャッタ４０の開閉動作は、以下のようにして行われる。フォーカルプレーンシャッタ４０の開閉動作が行われる前、先シャッタ４２は、図２に示すように展開して開口６０ａ，４０ａ，７０ａを覆っているため、レンズ側からの撮影光は、フォーカルプレーンシャッタ４０を通過できない。しかし、カメラのシャッタボタン等に連動して、図５に示すように、先シャッタ４２が折り畳まれながら、Ｚ負方向に下降を開始する。先シャッタ４２を構成するシャッタ羽根４２ａ〜４２ｄのうち、最も上方に配置されているシャッタ羽根４２ｄの上辺Ｌ１が、開口６０ａ，４０ａ，７０ａの上辺が配置されている位置Ｈ１を下方に向かって通過すると、開口６０ａ，４０ａ，７０ａが一部開放される。それによって、撮影光がフォーカルプレーンシャッタ４０を通過できる状態となる。
【００３６】
先シャッタ４２が下降を開始してから、シャッタスピードに応じた所定の時間が経過した後に、後シャッタ４４が展開しながらＺ負方向に下降を開始する。シャッタスピードが高速である場合には、図５に示すように、先シャッタ４２が完全に下降する前に、後シャッタ４４が下降を開始する。この際、後シャッタ４４の最下方に位置するシャッタ羽根４４ｄの下辺Ｌ２と、先シャッタ４２の最上方に位置するシャッタ羽根４２ｄの上辺Ｌ１との間に形成されるスリットの幅Ｗは、略一定に保たれる。スリットの幅Ｗを略一定に保持した状態で、先シャッタ４２が下降して折り畳まれるのに追随して、後シャッタ４４が展開して開口６０ａ，４０ａ，７０ａを覆い、フォーカルプレーンシャッタ４０の開閉動作が終了する。このようにして、本実施形態のフォーカルプレーンシャッタ４０は、極めて高速のシャッタスピードを達成することができる。
【００３７】
図６は、図５の断面図である。本実施形態のフォーカルプレーンシャッタ２０では、先シャッタ４２と後シャッタ４４とは、光軸（Ｘ軸）に略垂直に配置された中間体４０を、光軸（Ｘ軸）方向に挟んで配置されている。後シャッタ４４は、中間体４０のレンズ側（Ｘ軸負方向）に配置されており、上述のように、展開しながら下降している。言い換えると、先シャッタ４４を構成する各シャッタ羽根４４ａ〜４４ｄは、それぞれ異なる速度で、下方（Ｚ軸負方向）に向かって移動している。本実施形態では、後シャッタ４４を構成する各シャッタ羽根４４ａ〜４４ｄは、各シャッタ羽根４４ａ〜４４ｄの移動方向Ｄ１に対して、僅かに傾斜して配置されている。このため各シャッタ羽根４４ａ〜４４ｄは、光軸（Ｘ軸）に対して略対直な方向に移動する際、シャッタ羽根４４ａ〜４４ｄ周辺の流体（空気）によって、光軸（Ｘ軸）と略平行な方向、すなわち移動方向と略垂直な方向に向かう揚力を受ける。
【００３８】
図７は、シャッタ羽根４４ａを例として、第１実施形態におけるシャッタ羽根４４ａ〜４４ｄが移動時に受ける揚力を説明した模式図であり、移動方向Ｄ１に対するシャッタ羽根４４ａの傾斜を誇張して表示している。図７はシャッタ羽根４４ａが下降を開始した直後（時間Ｔ＝ｔ１）と、シャッタ羽根４４ａが下降を停止する直前（時間Ｔ＝ｔ２）におけるシャッタ羽根４４ａの位置を表している。図７において、ｔ１およびｔ２におけるシャッタ羽根４４ａの下辺Ｌ２を結んだ破線は、シャッタ羽根４４ａの移動方向Ｄ１を示している。第１実施形態では、図７に示すように、シャッタ羽根４４ａの移動方向Ｄ１と、二点鎖線で示すシャッタ羽根４４ａの断面中心線Ｄ２とは、角度θだけ傾斜している。
【００３９】
したがって、移動方向Ｄ１に対して角度θ傾斜しているシャッタ羽根４４ａには、シャッタ開閉動作における移動時に、中間板４０から第１基板６０へ向かう揚力Ｆ１が発生する。シャッタ羽根４４ａの移動時において、揚力Ｆ１は、シャッタ４４ａに対して常に光軸と平行な略一定の方向に働くため、シャッタ４４ａの走行中のばたつきが効果的に抑制される。ここで傾斜角度θは、シャッタ羽根４４ａの移動速度および剛性等を考慮して任意の値を取り得るが、好ましくは０度より大きく１度未満、さらに好ましくは２０分〜４０分である。傾斜角度θを好適な値とすることにより、フォーカルプレーンシャッタ２０全体の厚みを増加させることなく、シャッタ羽根４４ａの走行中のばたつきを抑えることができる。
【００４０】
後シャッタ４４の他のシャッタ羽根４４ｂ〜４４ｄについても、シャッタ羽根４４ａと同様に、移動方向に対して角度θ傾斜しているため、中間板４０から第１基板６０へ向かう揚力Ｆ１が発生する。また、本実施形態の先シャッタ４４の各シャッタ羽根４２ａ〜４２ｄは、図６に示すように、移動方向Ｄ３に対して、進行方向に向かって第３基板７０側に、角度θ傾斜している。したがって、先シャッタ４２の各シャッタ羽根４２ａ〜４２ｂには、中間板４０から第３基板７０へ向かう揚力が発生する。
【００４１】
このように、本実施形態に係るフォーカルプレーンシャッタ２０では、シャッタ羽根４２ａ〜４２ｄ，４４ａ〜４４ｄが移動の方向に対して傾斜して配置されており、シャッタ羽根４２ａ〜４２ｄ，４４ａ〜４４ｄの移動時に揚力が発生するため、シャッタ４４ａ，４４ｂの走行中のばたつきが効果的に抑制される。したがって、シャッタ４４ａ，４４ｂ走行時、シャッタ羽根４２ａ〜４２ｄ，４４ａ〜４４ｄが中間体４０または基板６０，７０と衝突することを効果的に防止でき、フォーカルプレーンシャッタの耐久性および信頼性を向上させることができる。
【００４２】
さらに、シャッタ４４ａ，４４ｂの走行中のばたつきが抑制されるため、基板６０，７０と中間体４０の間に、ばたつきを考慮した余剰スペース設ける必要がなくなり、フォーカルプレーンシャッタ２０を薄型化できる。特に、中間体４０側から離間する方向（中間体４０側から基板６０側、または中間体４０側から基板７０側）へ向かう揚力が発生することにより、中間体４０と各シャッタ４４ａ，４４ｂとをさらに近接して配置することが可能となる。
第２実施形態
【００４３】
図８は、第２実施形態に用いられるシャッタ羽根４２ａ〜４２ｄ，４４ａ〜４４ｄが移動時に受ける揚力について、シャッタ羽根４４ａを用いて説明した模式図である。なお、第２実施形態のフォーカルプレーンシャッタ２０およびこれを搭載するカメラの構成は、シャッタ羽根４２ａ〜４２ｄ，４４ａ〜４４ｄを除き、第１実施形態と同様である。第１実施形態のシャッタ羽根４４ａは、図７および図３に示すように、対向する面Ｍ１，Ｍ２が互いに略平行な平板形状を有しているのに対して、第２実施形態に係るシャッタ羽根４４ａは、図９に示すＸＺ断面から明らかなように、中間体４０側（Ｘ軸正方向側）の表面Ｍ１より、基板６０側（Ｘ軸負方向側）の表面Ｍ２のふくらみが大きい翼形状を有している。
【００４４】
したがって、図８に示すように、シャッタ羽根４４ａがＺ負方向に向かって下降を開始すると、シャッタ羽根４４ａの周辺に存在する流体（空気）によって、中間板４０から第１基板６０へ向かう揚力Ｆ１が発生する。シャッタ羽根４４ａの移動時において、揚力Ｆ１は、シャッタ４４ａに対して光軸に平行な略一定の方向に働くため、シャッタ４４ａの走行中のばたつきが効果的に抑制される。ここでシャッタ羽根４４ａの形状は、シャッタ羽根４４ａの移動方向と略直交する光軸と略平行な方向に揚力が発生する形状であれば、どのような形状であってもよい。
【００４５】
第２実施形態のフォーカルプレーンシャッタ２０では、シャッタ羽根４４ａ以外のシャッタ羽根４２ａ〜４２ｄ，４４ｂ〜４４ｄも、シャッタ羽根４４ａと同様に、翼形状を有している。したがって、これらのシャッタ羽根４２ａ〜４２ｄ，４４ｂ〜４４ｄについても、移動時において、光軸と略平行な方向に揚力が発生する。
【００４６】
このように、第２実施形態に係るフォーカルプレーンシャッタ２０では、シャッタ羽根４２ａ〜４２ｄ，４４ａ〜４４ｄの移動時に揚力が発生するため、シャッタ４４ａ，４４ｂの走行中のばたつきが効果的に抑制される。したがって、シャッタ４４，４４走行時、シャッタ羽根４２ａ〜４２ｄ，４４ａ〜４４ｄが中間体４０または基板６０，７０と衝突することを効果的に防止でき、フォーカルプレーンシャッタ２０の耐久性および信頼性を向上させることができる。
【００４７】
さらに、シャッタ４４ａ，４４ｂの走行中のばたつきが抑制されるため、基板６０，７０と中間体４０の間に、ばたつきを考慮した余剰スペース設ける必要がなくなり、フォーカルプレーンシャッタ２０を薄型化できる。また、第２実施形態に係るフォーカルプレーンシャッタ２０では、先シャッタ４２および後シャッタ４４における各シャッタ羽根（４２ａ〜４２ｄ，４４ａ〜４４ｄ）間の間隔を広げることなく、効果的にシャッタ羽根（４２ａ〜４２ｄ，４４ａ〜４４ｄ）のばたつきを抑制することができるため、さらにフォーカルプレーンシャッタ２０を薄型化できる。
【図面の簡単な説明】
【００４８】
【図１】図１は、本願発明の第１および第２実施形態に係るフォーカルプレーンシャッタを搭載したカメラの概略断面図である。
【図２】図２は、図１のカメラに搭載されたフォーカルプレーンシャッタにおける羽根と開口の位置関係を示した概略図である。
【図３】図３は、図１のカメラに搭載されたフォーカルプレーンシャッタにおける装置の構成部品の位置関係を表す分解斜視図である。
【図４】図４は、図１のカメラに搭載されたフォーカルプレーンシャッタにおけるシャッタの開閉機構を説明した概略図である。
【図５】図５は、図１のカメラに搭載されたフォーカルプレーンシャッタのシャッタ走行時の状態を示す概略平面図である。
【図６】図６は、図５に示すフォーカルプレーンシャッタの概略断面図である。
【図７】図７は、図６に示すフォーカルプレーンシャッタに係る１枚のシャッタ羽根の走行状態を表した模式断面図である。
【図８】図８は、本願発明の第２実施例に係るフォーカルプレーンシャッタのシャッタ羽根の走行状態を表した模式断面図である。
【図９】図９は、図８に示すシャッタ羽根の模式断面斜視図である。
【符号の説明】
【００４９】
４…  カメラボディ
２０…  フォーカルプレーンシャッタ
４０…  中間体
４０ａ…  開口
４２…  先シャッタ
４２ａ〜４２ｄ…  シャッタ羽根
４４…  後シャッタ
４４ａ〜４４ｄ…  シャッタ羽根
６０…  第１基板
６０ａ…  開口
７０…  第２基板
７０ａ…  開口
【図１】
2009139420.tif 000003
【図２】
2009139420.tif 000004
【図３】
2009139420.tif 000005
【図４】
2009139420.tif 000006
【図５】
2009139420.tif 000007
【図６】
2009139420.tif 000008
【図７】
2009139420.tif 000009
【図８】
2009139420.tif 000010
【図９】
2009139420.tif 000011